(57)【要約】表示部および／またはレンズを備えるメガネ部が有するテンプルに支持され、ユーザの耳の耳甲介腔に挿入される放音部を備えるヘッドホンである。【選択図】図１
2018186062.tif 000002
【特許請求の範囲】
【請求項１】
表示部および／またはレンズを備えるメガネ部が有するテンプルに支持され、ユーザの耳の耳甲介腔に挿入される放音部を備えるヘッドホン。
【請求項２】
前記放音部は、管状に構成されている
請求項１に記載のヘッドホン。
【請求項３】
前記放音部は、前記ユーザの耳甲介腔方向へ湾曲する第１湾曲部と、略Ｕ型に湾曲し、前記耳甲介腔に接触する第２湾曲部とから構成されている
請求項２に記載のヘッドホン。
【請求項４】
前記第２湾曲部に放音孔が設けられている
請求項３に記載のヘッドホン。
【請求項５】
前記放音部は、前記ユーザの耳の耳珠よりも耳の内部に挿入され、前記耳甲介腔に接触する
請求項３に記載のヘッドホン。
【請求項６】
前記放音部は柔軟性を有するように構成されている
請求項１に記載のヘッドホン。
【請求項７】
前記メガネ部はテンプルの端部にモダンを備えず、前記放音部は前記テンプルの端部に支持されている
請求項１に記載のヘッドホン。
【請求項８】
前記放音部は動作部を介して前記テンプルに支持されている
請求項１に記載のヘッドホン。
【請求項９】
前記動作部は、ヒンジ機構により構成され、回動することにより前記放音部の位置を調整可能である
請求項８に記載のヘッドホン。
【請求項１０】
前記動作部は、スライド機構により構成され、スライドすることにより前記放音部の位置を調整可能である
請求項８に記載のヘッドホン。
【請求項１１】
前記放音部にダイナミック型ドライバを備える
請求項１に記載のヘッドホン。
【請求項１２】
前記放音部にバランスド・アーマチュア型ドライバを備える
請求項１に記載のヘッドホン。
【請求項１３】
前記バランスド・アーマチュア型ドライバは音導管内に直列に複数個設けられている
請求項１２に記載のヘッドホン。
【請求項１４】
前記放音部にイヤーピースを装着可能である
請求項１に記載のヘッドホン。
【請求項１５】
表示部および／またはレンズを備えるメガネ部と、
前記メガネ部のテンプルに支持され、ユーザの耳の耳甲介腔に挿入される放音部と
を備えるヘッドホン。
【発明の詳細な説明】
【技術分野】
【０００１】
本技術は、ヘッドホンに関する。
【背景技術】
【０００２】
近年、拡張現実(AR)、仮想現実(VR)用の様々な表示デバイスが日々と発表されており、今後メガネ型のヘッドマウントディスプレイであるいわゆるスマートグラスへの進化が予想される。そのようなメガネ型デバイスのキーワードとして「常時装着」が挙げられる。常時装着とは、家にいるとき、外出するときなど基本的に常に、何をしているときでもそのデバイスを装着していることである。【０００３】
外出中に音楽等を聴く場合は、耳にイヤーピースを挿入するヘッドホン（イヤホン）などが用いられており、これをそのままメガネ型デバイスの用いたものも提案されている（特許文献１）
【先行技術文献】
【特許文献】
【０００４】
【特許文献１】特開２００６−１８６７５６号公報
【発明の概要】
【発明が解決しようとする課題】
【０００５】
しかし、そのような常時装着のデバイスが出力する音声を聴くために耳にイヤーピースを挿入すると、メガネ型デバイスから音声を聴きつつ人と会話をすることは難しい。また、周囲の音に聞いて、車の接近を察知することなども難しいという問題もある。また即時の容易なつけ外し、小型・軽量であるためのシンプルな構成も求められている。【０００６】
本技術はこのような問題点に鑑みなされたものであり、音声を出力する装置からの音声を聴きつつ、外部の音も聞くことができ、即時のつけ外しが容易なヘッドホンを提供することを目的とする。
【課題を解決するための手段】
【０００７】
上述した課題を解決するために、本技術は、表示部および／またはレンズを備えるメガネ部が有するテンプルに支持され、ユーザの耳の耳甲介腔に挿入される放音部を備えるヘッドホンである。
【発明の効果】
【０００８】
本技術によれば、装置から出力される音声を聴きつつ、外部の音も聞くことができ、即時のつけ外しが容易となる。なお、ここに記載された効果は必ずしも限定されるものではなく、明細書中に記載されたいずれかの効果であってもよい。
【図面の簡単な説明】
【０００９】
【図１】ヘッドホンを備えるスマートグラスの構成を示す斜視図である。
【図２】ヘッドホンの六面図である。
【図３】スマートグラスの装着状態を示す図である。
【図４】放音部の位置の調整を説明するためのスマートグラスの側面図である。
【図５】第２の実施の形態に係るヘッドホンを備えるスマートグラスの構成を示す斜視図である。
【図６】第２の実施の形態に係るヘッドホンの放音部の構成を示す分解図である。
【図７】変形例に係るヘッドホンを示す側面図である。
【図８】変形例に係るヘッドホンを示す図である。
【発明を実施するための形態】
【００１０】
以下、本技術の実施の形態について図面を参照しながら説明する。なお、説明は以下の順序で行う。
＜１．第１の実施の形態＞
［１−１．スマートグラスの構成］
［１−２．ヘッドホンの構成］
＜２．第２の実施の形態＞
［２−１．ヘッドホンの構成］
＜３．変形例＞
【００１１】
＜１．第１の実施の形態＞
［１−１．スマートグラスの構成］
まず、第１の実施の形態に係るヘッドホンを備えるウェアラブル機器であるスマートグラス１０の構成について説明する。図１はスマートグラス１０の外観構成を示す斜視図である。
【００１２】
スマートグラス１０は、メガネ部１００、左側ヘッドホン２００および右側ヘッドホン３００を有し、透過型スマートグラスとして構成されている。スマートグラス１０は全体としてメガネ型の形状を有し、ユーザは装着して外界を視認しつつ、表示される画像、映像などから各種情報を得ることが可能となっている。
【００１３】
メガネ部１００は、リム１０１、左側テンプル１０２、右側テンプル１０３および表示部１０４とから構成されている。リム１０１は、ユーザの左右の目にそれぞれ対応して表示部１０４を支持するように構成されている。またリム１０１の中央にはスマートグラス１０の装着時においてユーザの鼻の上部に接触してスマートグラス１０を支持するノーズパッド１０５が形成されている。
【００１４】
表示部１０４は、ユーザに画像（アイコン、映像などを含む）を提示することが可能に構成される。表示部１０４は、光学部材としてのレンズと表示素子とから構成されている。表示部１０４では、表示素子が画像を形成し、その画像光が光学部材内に導光されユーザの目に出射されることで、ユーザに画像を提示する。ユーザは表示部１０４に画像を表示させている場合、または表示させない場合どちらにおいても表示部１０４のレンズを通して外界を視認することができる。
【００１５】
左側テンプル１０２は、一端側がリム１０１の左端につながっており、他端部に左側ヘッドホン２００が接続されている。右側テンプル１０３は一端側がリム１０１の右端につながっており、他端部に右側ヘッドホン３００が接続されている。左側テンプル１０２および右側テンプル１０３はスマートグラス１０の装着時においてユーザの側頭部を挟み込むことによりスマートグラス１０を支持する役割も果たすものである。リム１０１、左側テンプル１０２および右側テンプル１０３は、例えば、合成樹脂、金属等の材料で形成される。
【００１６】
左側テンプル１０２と右側テンプル１０３とは、たとえば、柔軟性を持たせて、力を加えることにより湾曲して左側テンプル１０２と右側テンプル１０３間の距離が広がるように構成されている。ユーザは、スマートグラス１０の装着動作時に左側テンプル１０２と右側テンプル１０３間の距離を広げることにより、スマートグラス１０が装着しやすくなる。
【００１７】
左側テンプル１０２の内部にはバッテリ１０６、ＮＦＣ（Near Field Communication）モジュール１０７が収容されている。
【００１８】
バッテリ１０６は、例えばリチウムイオン二次電池と充放電を制御するバッテリ制御回路とを有するものであり、スマートグラス１０の各部に電力を供給する。
【００１９】
ＮＦＣモジュール１０７は、パーソナルコンピュータ、スマートフォン、タブレット端末、ルータなどの外部機器と近距離無線通信を行うための通信モジュールである。
【００２０】
右側テンプル１０３の内部には制御部１０８、記憶部１０９などが収容されている。
【００２１】
制御部１０８は、ＣＰＵ（Central Processing Unit）、ＲＡＭ（Random Access Memory）およびＲＯＭ（Read Only Memory）などから構成されている。ＲＯＭには、ＣＰＵにより読み込まれ動作されるプログラムなどが記憶されている。ＲＡＭは、ＣＰＵのワークメモリとして用いられる。ＣＰＵは、ＲＯＭに記憶されたプログラムに従い様々な処理を実行してコマンドの発行を行うことによってスマートグラス１０全体の制御を行う。
【００２２】
記憶部１０９は、半導体メモリなどからなる大容量記憶媒体である。記憶部１０９には、制御部１０８で実行されるアプリケーション、プログラム、コンテンツなどが保存される。
【００２３】
右側テンプル１０３の内側面には操作部が設けられている。本実施の形態では、操作部として、スマートグラス１０の電源オンオフを切り替えるための電源ボタン１１０、ヘッドホンから出力される音声の音量を調整するボリューム調整ボタン１１１が設けられている。
【００２４】
さらに、右側テンプル１０３の下面には外部入出力端子１１２が設けられている。外部入出力端子１１２は、ＵＳＢ（Universal Serial Bus）通信などにより外部機器とデータの送受信を行うためのものである。なお、外部入出力端子１１２としてＵＳＢを用いる場合、バッテリ１０６への電力供給も外部入出力端子１１２を介して行われる。なお、スマートグラス１０と外部機器との通信はＵＳＢ通信に限らずＨＤＭＩ（High-Definition Multimedia Interface）（登録商標）通信などでもよい。また、Wi-Fiなどの無線ＬＡＮ（Local Area Network）、Bluetooth（登録商標）、ZigBeeなどの無線通信であってもよい。
【００２５】
なお、左側テンプル１０２および右側テンプル１０３はリム１０１と一体的に構成してもよいし、リム１０１とは別部材として、リム１０１とヒンジで接続することにより折畳み可能に構成してもよい。
【００２６】
通常のメガネ型のスマートグラス１０であれば左側テンプル１０２および右側テンプル１０３の他端側にはユーザの耳にかけるモダンが設けられているが、本実施の形態に係るスマートグラス１０ではモダンは設けられていない。この点については後述する。
【００２７】
［１−２．ヘッドホンの構成］
次に図２乃至図４を参照してヘッドホンについて説明する。なお、ヘッドホンは左側ヘッドホン２００と右側ヘッドホン３００とから構成されており、説明は左側ヘッドホン２００を参照して行う。左側ヘッドホン２００と右側ヘッドホン３００の構成は左右対称である点を除いて同一である。
【００２８】
左側ヘッドホン２００および右側ヘッドホン３００はメガネ部１００内部を挿通する制御線（図示せず）、音声伝送線で制御部１０８と接続されている。
【００２９】
図２Ａは左側ヘッドホン２００の上面図、図２Ｂは左側ヘッドホン２００の正面図とし、図２Ｃおよび図２Ｅは図２Ｂを左側ヘッドホン２００の正面図とした場合の側面図、図２Ｄは図２Ｂを左側ヘッドホン２００の正面図とした場合の背面図、図２Ｆは底面図である。
【００３０】
左側ヘッドホン２００は、ヒンジ部２１０、ハウジング２２０、放音部２３０とから構成されている。
【００３１】
ヒンジ部２１０はメガネ部１００の左側テンプル１０２の他端において左側ヘッドホン２００を回動可能に支持するものである。ヒンジ部２１０で左側ヘッドホン２００を回動可能とすることにより、左側ヘッドホン２００の放音部２３０がユーザの耳の適切な位置に接触するように調整することができる。ヒンジ部２１０は特許請求の範囲における動作部に相当するものである。
【００３２】
ハウジング２２０は、上端がヒンジ部２１０に支持されており、内部に音声処理回路（図示せず）、ドライバユニットなどを収容する収容部として機能するものである。ハウジング２２０は例えば、プラスチックなどの合成樹脂、耐腐食性金属などを用いて形成されている。音声処理回路は例えば、スピーカを駆動する音声信号に対して、信号増幅処理、イコライジング処理、ノイズキャンセリング処理などの所定の音声信号処理を施すものである。ドライバユニットおよびスピーカは音声処理回路により処理が施された音声信号を音声として出力する音声出力手段である。
【００３３】
本実施の形態ではドライバユニットとしてダイナミック型ドライバ２４０が設けられている。ダイナミック型ドライバ２４０は音の出力方向が放音部２３０方向となるように設けられている。現在、音楽を高音から低音まで遜色なく聴けるだけの音圧感度を有するドライバユニットとしては例えば、φ６ｍｍ以上のダイナミック型ドライバを使用するのが望ましい。
【００３４】
ハウジング２２０の下端には放音部２３０と接続するための管状の突起部２２１が設けられている。
【００３５】
放音部２３０は突起部２２１と接続されることによりハウジング２２０と接続されるように構成されている。放音部２３０は第１湾曲部２３１および第２湾曲部２３２とから所定の湾曲形状を有する管状に構成されている。
【００３６】
第１湾曲部２３１の一端はハウジング２２０の突起部２２１に接続されている。第１湾曲部２３１の他端側はスマートグラス１０の装着状態において放音部２３０がユーザの耳の耳甲介腔に入り込む方向に湾曲している。
【００３７】
第２湾曲部２３２は第１湾曲部２３１と一体的に構成されており、略Ｕ字型の形状を有するように湾曲している。第２湾曲部２３２は、スマートグラス１０の装着状態において第１湾曲部２３１がユーザの耳の耳甲介腔に入り込む方向に湾曲したのとは逆方向（ユーザの耳の耳甲介腔から出る方向）へ湾曲することにより、略Ｕ字型の形状を有するように構成されている。
【００３８】
第２湾曲部２３２の略Ｕ字型の湾曲形状の頂点付近には放音部２３０内部から外部へ通ずる放音孔２３３が形成されている。ダイナミック型ドライバ２４０から出力された音声は放音部２３０を伝わり、放音孔２３３からユーザの外耳孔に向けて放音される。これによりユーザはヘッドホンから出力された音声を聴取することができる。
【００３９】
第２湾曲部２３２の略Ｕ字型の湾曲形状の曲率は例えば、放音部２３０の径よりも大きく、人の人差し指、中指または薬指の指先と同程度であることが望ましい。人の指はユーザの誰しもが慣れ親しんだ体の一部であるため、曲率を人の指と同程度とする場合、使用するユーザに安心感を与えることができる。
【００４０】
図３に示すように、スマートグラス１０の装着状態においては、第１湾曲部２３１の湾曲形状により放音部２３０がユーザの耳の耳珠よりも内部の耳甲介腔に入り込み、第２湾曲部２３２が耳甲介腔に接触する。なお、放音孔２３３はユーザの鼓膜へと通じる外耳孔に向けて開口しているので耳甲介腔の皮膚に塞がれて放音孔２３３からの放音が妨げられてしまうことはない。
【００４１】
放音部２３０の先端は丸みを帯びるように形成されている。丸みを帯びさせることにより、細い放音部２３０であってもユーザの顔、耳などに刺さることがなく、ユーザに不安感を与えることもなく安全に使用することができる。
【００４２】
スマートグラス１０は装着状態において、ノーズパッド１０５の鼻の上部への接触、テンプルによる側頭部の挟み込みおよび放音部２３０の耳甲介腔への接触により支持される。よって、放音部２３０はダイナミック型ドライバ２４０からの音を導く音導管として機能するとともにスマートグラス１０の支持機構としても機能するものである。
【００４３】
放音部２３０は、全体または一部（ユーザの耳甲介腔に接触する部分）が合成樹脂などにより柔軟性を有するように構成されている。柔軟性を有することにより快適な装着感を得ることができ、使用時の危険性も低減することができる。さらに放音部２３０は細い部材であるため、柔軟性を有することにより硬質である場合に比べて変形や破損のおそれを低減させることができる。
【００４４】
ここで、本実施の形態に係るスマートグラス１０が、メガネまたはスマートグラスが通常備えているモダン（耳あて部分）を備えていない点について説明する。
【００４５】
図４はスマートグラス１０の側面図であり、ヒンジ部２１０の回転による左側ヘッドホン２００の位置調整可能な範囲を示すものである。左側ヘッドホン２００はヒンジ部２１０により回転することで耳の耳甲介腔に挿入する放音部２３０の位置を調整することができる。
【００４６】
ヒンジ部２１０による回転であるため、図４に示すように左側ヘッドホン２００を回転させると水平方向だけでなく高さ方向における放音部２３０の位置も変化することになる。放音部２３０の高さ方向の位置が変化すると、わずかではあるが左側テンプル１０２からモダンが上に上がるため、モダンと耳とが離れるまたはモダンと耳との接触位置がずれて不安定になる。ユーザは放音部２３０の位置を調整しつつ、モダンの位置も調整し直さなければならない。本実施の形態においては、スマートグラス１０のモダンを除くことにより、放音部２３０の位置の調整に伴うモダンの不具合を解消している。
【００４７】
放音部２３０を耳甲介腔に接触させるため、モダンがなくても、放音部２３０と、ノーズパッド１０５と、テンプルの側頭部の挟み込みとによってスマートグラス１０を支持することができる。
【００４８】
モダンはユーザの耳に接触してスマートグラス１０の後方を支持するものであるが、本実施の形態では放音部２３０が耳の耳甲介腔に接触することによりスマートグラス１０を支持しているので、モダンがないことによりスマートグラス１０が不安定になるなどの問題は生じない。なお、モダンを除くことは、スマートグラス１０の軽量化にも寄与している。
【００４９】
第１の実施の形態に係るヘッドホンは以上のように構成されている。第１の実施の形態によれば、放音部２３０の放音孔２３３は鼓膜へと通じる外耳孔を塞ぐことなく、ユーザに音声を供給するので、ユーザはスマートグラス１０から出力される音声を聴きつつ、外部の音を聞くことができる。よって、スマートグラス１０から出力される音声を聴きつつ、人とも会話が可能であり、また周囲に注意することも可能である。また、放音部２３０は耳甲介腔に挿入され、外耳孔に向けて放音するため、音漏れも最小限に抑え、周囲に迷惑をかけるおそれもない。
【００５０】
また、放音部２３０はユーザの耳甲介腔に向けて湾曲する第１湾曲部２３１と略Ｕ字型でありユーザの耳甲介腔に接触する第２湾曲部２３２とから湾曲形状を有するように構成されているため、ヘッドホンおよびスマートグラスの支持機構としても機能する。
【００５１】
また、ヒンジ部２１０および柔軟性を有する管状の放音部２３０により、個人差がある様々な耳の形状に合わせて適切な位置を保つことができるため、快適で長時間化するリスニングにおいて最適である。さらに、放音部２３０は様々なユーザの耳に合い、かつ、邪魔にならないように細くなっていながら、略Ｕ字状の曲げＲを有し、放音部２３０の先端も尖った先端部ではないためユーザに不安感を与えることもなく安全である。
【００５２】
＜２．第２の実施の形態＞
［２−１．ヘッドホンの構成］
次に本技術の第２の実施の形態について説明する。第２の実施の形態に係るスマートグラス１０Ａはメガネ部１００と、左側ヘッドホン２００Ａおよび右側ヘッドホン３００Ａとから構成されている。メガネ部１００の構成は第１の実施の形態と同様であるためその説明を省略する。以下、ヘッドホンの説明は左側ヘッドホン２００Ａを参照して行う。左側ヘッドホン２００Ａと右側ヘッドホン３００Ａの構成は左右対称である点を除いて同一である。
【００５３】
図５に示すように、第２の実施の形態において左側ヘッドホン２００Ａはヒンジ部２１０と放音部５００とから構成されている。なお、ヒンジ部２１０は第１の実施の形態におけるものと同様である。
【００５４】
第２の実施の形態において左側ヘッドホン２００Ａは放音部５００よりも径が大きいハウジングを備えておらず、放音部５００は、略直線状のドライバ収納部５０１、第１湾曲部５０２および第２湾曲部５０３とから管状に構成されている。第２湾曲部５０３に放音孔５０４が形成されている。なお、第１湾曲部５０２および第２湾曲部５０３、放音孔５０４の構成は第１の実施の形態における第１湾曲部２３１、第２湾曲部２３２、放音孔２３３と同様である。
【００５５】
放音部５００はバランスド・アーマチュア型ドライバ４００からの音を導く音導管として機能するとともにスマートグラス１０Ａの支持機構としても機能するものである。第２の実施の形態における放音部５００のドライバ収納部５０１（音導管として機能する部分）の内部にバランスド・アーマチュア型ドライバ４００が複数個直列に並んで設けられている。ドライバ収納部５０１は、ドライバ側部５１０と前面部５２０とから構成されている。図６Ａはドライバ側部５１０の平面図、正面図、側面図であり、図６Ｂは前面部５２０の平面図、正面図、側面図であり、図６Ｃはドライバ側部５１０と前面部５２０とを合わせることにより構成されるドライバ収納部５０１の斜視図である。
【００５６】
ドライバ側部５１０は平面部５１１と半円部５１２を有する平面視半円状の筒状に構成されている。前面部５２０も同様に平面部５２１と半円部５２２を有する平面視半円状の筒状に構成されている。なお、図示は省略するが、第１湾曲部５０２、第２湾曲部５０３はドライバ収納部５０１と一体的に構成されているため、それらも平面部と半円部とから構成されている。
【００５７】
ドライバ側部５１０の平面部５１１には音声出力孔５１３が複数個、ドライバ収納部５０１の長さ方向に沿って直列に形成されている。また、前面部５２０の平面部５２１には平面部５１１の音声出力孔５１３のそれぞれ対応する位置に音声出力孔５２３が複数個、ドライバ収納部５０１の長さ方向に沿って直列に形成されている。図６の例では音声出力孔５１３および音声出力孔５２３は３つずつ形成されている。ドライバ側部５１０と前面部５２０とは平面部５１１と平面部５２１とを合わせることにより一体的な筒状の放音部５００を構成している。
【００５８】
放音部５００からユーザの外耳孔に向けて放音する放音孔５３０は前面部５２０側に形成されている。
【００５９】
ドライバ側部５１０の内部には各音声出力孔５１３に対応する位置にバランスド・アーマチュア型ドライバ４００が直列に設けられている。バランスド・アーマチュア型ドライバ４００から出力された音は、音声出力孔５１３および音声出力孔５２３を通じて前面部５２０内に放音され、前面部５２０内を伝って放音孔５３０からユーザの外耳孔に向けて放音される。これによりユーザはヘッドホンから出力された音声を聴取することができる。
【００６０】
バランスド・アーマチュア型ドライバはダイナミック型ドライバに比べて小型化が可能であるため、第１の実施形態のようにドライバを収容するためのハウジングを設ける必要がなく、放音部５００内に直接設けることができる。
【００６１】
ただし、バランスド・アーマチュア型ドライバはダイナミック型ドライバと比較して、音量が小さい、低音域の迫力にかけるなどという問題がある。そこで、本実施の形態では、バランスド・アーマチュア型ドライバを直列に複数個設けることにより、音量、音質の問題を解決している。
【００６２】
第２の実施の形態に係るヘッドホンは以上のようにして構成されている。第２の実施の形態によれば、ダイナミック型ドライバに比べて小型化が可能なバランスド・アーマチュア型ドライバを用いることによりヘッドホンの小型化を図ることができる。
【００６３】
＜３．変形例＞
以上、本技術の実施の形態について具体的に説明したが、本技術は上述の実施の形態に限定されるものではなく、本技術の技術的思想に基づく各種の変形が可能である。
【００６４】
第１の実施の形態で説明した動作部としてのヒンジ部２１０に代えて、図７に示すように、テンプルに沿ってスライドして左側ヘッドホン２００の位置を調整可能なスライダ６００を用いてもよい。スライダ６００は左側テンプル１０２に設けられた溝６０１に嵌合してスライドするように構成されている。なお、右側テンプル１０３においても同様である。スライダ６００を用いる場合、スライダ６００のスライドによって放音部２３０の水平方向の位置のみが変化し、高さ方向における位置は変わらない。よって、メガネ部１００がモダン１２０を有していたとしても、スライダ６００のスライドによりモダン１２０と耳との接触位置がずれて不安定になるということがない。よって、図７に示すようにメガネ部１００はモダン１２０を備えていてもよい。なお、動作部がスライダ６００である場合もメガネ部１００はモダンを備えていなくてもよい。
【００６５】
図８に示すように、放音部２３０にカナル型イヤーピース７００を取り付けてもよい。カナル型イヤーピース７００はユーザの外耳孔内に深く挿入するものであるため、カナル型イヤーピース７００を設けることによりスマートグラス１０を支持しつつ、ユーザは迫力のある音声を聴取することができる。なお、この場合、図８Ｄに示すように、放音部２３０にカナル型イヤーピース７００を取り付けるための、筒状の突起部７１０を放音部２３０に設ける必要がある。
【００６６】
また、ユーザが使用環境に合わせてカナル型イヤーピースを装着することができるようにしてもよい。例えば、家の中など限定された空間において外部の音声を聞く必要がなく、迫力のある音声を聴取したい場合にカナル型イヤーピースをヘッドホンに装着することにより迫力のある音声を聴取することができる。
【００６７】
メガネ部１００のテンプルに設けられた操作部としての電源ボタンおよびボリュームボタンに代えて、電源オンオフ、ボリュームの調整その他の操作を行うことができるタッチパネルを設けてもよい。また、操作部は、テンプルの内側面に限られず、外側面、上面、下面のいずれかに設けてもよい。
【００６８】
第１の実施の形態ではドライバユニットはダイナミック型ドライバとして説明を行い、第２の実施の形態ではバランスド・アーマチュア型ドライバとして説明を行ったがドライバユニットはそれらに限られるものではない。他の方式のドライバユニットを用いてもよい。また、第１の実施の形態でバランスド・アーマチュア型ドライバを用いてもよいし、第２の実施の形態でダイナミック型ドライバを用いてもよい。
【００６９】
実施の形態では、表示部１０４を備えるスマートグラス１０を例にして説明を行ったが、表示部を備えない通常のメガネが本技術に係るヘッドホンを備えていてもよい。この場合、メガネもしくはヘッドホンがBluetooth（登録商標）モジュールなどの通信機能で外部の音声出力機器（スマートホン、携帯音楽プレーヤーなど）と接続され、その音声出力機器から送信される音声データを音声として出力する。
【００７０】
メガネ部１００の表示部は、通常の眼鏡としての機能を有さず、ユーザの視認を遮るもの（例えば、ＶＲ機器など）であってもよい。
【００７１】
本技術は以下のような構成も取ることができる。
（１）
表示部および／またはレンズを備えるメガネ部が有するテンプルに支持され、ユーザの耳の耳甲介腔に挿入される放音部を備えるヘッドホン。
（２）
前記放音部は、管状に構成されている（１）に記載のヘッドホン。
（３）
前記放音部は、前記ユーザの耳甲介腔方向へ湾曲する第１湾曲部と、略Ｕ型に湾曲し、前記耳甲介腔に接触する第２湾曲部とから構成されている（１）または（２）に記載のヘッドホン。
（４）
前記第２湾曲部に放音孔が設けられている（３）に記載のヘッドホン。
（５）
前記放音部は、前記ユーザの耳の耳珠よりも耳の内部に挿入され、前記耳甲介腔に接触する（３）に記載のヘッドホン。
（６）
前記放音部は柔軟性を有するように構成されている（１）から（５）のいずれかに記載のヘッドホン。
（７）
前記メガネ部はテンプルの端部にモダンを備えず、前記放音部は前記テンプルの端部に支持されている（１）から（６）のいずれかに記載のヘッドホン。
（８）
前記放音部は動作部を介して前記テンプルに支持されている（１）から（７）のいずれかに記載のヘッドホン。
（９）
前記動作部は、ヒンジ機構により構成され、回動することにより前記放音部の位置を調整可能である（８）に記載のヘッドホン。
（１０）
前記動作部は、スライド機構により構成され、スライドすることにより前記放音部の位置を調整可能である（８）に記載のヘッドホン。
（１１）
前記放音部にダイナミック型ドライバを備える（１）から（１０）のいずれかに記載のヘッドホン。
（１２）
前記放音部にバランスド・アーマチュア型ドライバを備える（１）から（１２）のいずれかに記載のヘッドホン。
（１３）
前記バランスド・アーマチュア型ドライバは音導管内に直列に複数個設けられている（１２）に記載のヘッドホン。
（１４）
前記放音部にイヤーピースを装着可能である（１）から（１３）のいずれかに記載のヘッドホン。
（１５）
表示部および／またはレンズを備えるメガネ部と、
前記メガネ部のテンプルに支持され、ユーザの耳の耳甲介腔に挿入される放音部と
を備えるヘッドホン。
【符号の説明】
【００７２】
１０、１０Ａ・・・・・スマートグラス
１００・・・・・・・・メガネ部
１０２・・・・・・・・左側テンプル
１０３・・・・・・・・右側テンプル
２００、２００Ａ・・・左側ヘッドホン
２１０・・・・・・・・ヒンジ部
２３０・・・・・・・・放音部
２３１・・・・・・・・第１湾曲部
２３２・・・・・・・・第２湾曲部
２３３・・・・・・・・放音孔
２４０・・・・・・・・ダイナミック型ドライバ
３００、３００Ａ・・・右側ヘッドホン
４００・・・・・・・・バランスド・アーマチュア型ドライバ
６００・・・・・・・・スライダ
７００・・・・・・・・イヤーピース
【図１】
2018186062.tif 000003
【図２】
2018186062.tif 000004
【図３】
2018186062.tif 000005
【図４】
2018186062.tif 000006
【図５】
2018186062.tif 000007
【図６】
2018186062.tif 000008
【図７】
2018186062.tif 000009
【図８】
2018186062.tif 000010
【国際調査報告】
2018186062.tif 000011
2018186062.tif 000012
2018186062.tif 000013